(57)【要約】      （修正有）【課題】ページグループ、つまり、グループ化された特定の複数ページ毎に捲りやすく、外観の見栄えがよく、簡単に製造することができる冊子を提供する。【解決手段】グループ化された複数枚のページ１ａ、１ｂが積層されて構成された冊子１０であって、グループＰＧ１内のページ１ａ、１ｂの各々は、お互いのページの紙の目４ａ、４ｂが異なる方向に形成され、異なる反発力を有するように構成されている。また、前記グループＰＧ１と同じ構成のグループＰＧ１〜ＰＧ１２を、複数備えた。【選択図】図２
0003218916.tif 000002
【実用新案登録請求の範囲】
【請求項１】
グループ化された複数枚のページが積層されて構成された冊子であって、
前記グループ内の前記ページの各々は、お互いのページの紙の目が異なる方向に形成され、異なる反発力を有するように構成されている
ことを特徴とする冊子。
【請求項２】
前記グループと同じ構成のグループを、複数備えた
ことを特徴とする請求項１に記載の冊子。
【請求項３】
前記グループ内に積層された複数のページのうち、特定の捲り方向に対して一番強い反発力を有するページが、該グループ内の最上層又は最下層のいずれかに設けられており、
前記特定の捲り方向に応じて、前記反発力が異なる大きさに設定されている
ことを特徴とする請求項１又は請求項２のいずれかに記載の冊子。
【考案の詳細な説明】
【技術分野】
【０００１】
本考案は、冊子に関し、特に、特定の複数のページ毎にグループ分けして構成された冊子であって、ページを捲る方向に応じて、所定のページグループ毎に捲ることができるように構成された冊子に関するものである。
【背景技術】
【０００２】
従来から、請求書、請求書、伝票、書籍、その他の冊子において、ページ捲りを容易にしたい、あるいは、グループ化された特定の複数ページ毎に捲りたいという要望がある。
【０００３】
例えば、特許文献１には「頁を捲るという作業は、健常者にとってはさほど困難を要することはないが、幼児や身体障害を持つ人々にとっては極めて困難な作業であるのが現状であり、時として数頁、あるいは誤って本ごとひっくり返すこともしばしばである。手指の機能が正常でない人にも、安易に頁を捲ることが出来るということは、書物に対する親近感と希望を与えるものである」（「要約」参照。）という目的を実現するために、「頁の辺が次頁の辺と互い違いになっている書籍」（「請求項１参照。）が記載されている。
【０００４】
また、特許文献２には、「１つのグループ内で次の小グループのページを容易に見出すことができる手段を備えた印刷物を製造する方法を提供する」（「発明の詳細な説明」参照。）ことを目的として、「多数のグループに分けた印刷物を集める印刷物の分類及び切断方法において、顕著な特性を有する少なくとも２つのグループから小グループを繰り返し順番に集め、１つのグループ内において次の小グループまで飛び越すことができるか、又は小グループ内でページを素早くめくることができるような方法でシートの一部分を少なくとも１つのシート端縁で切断させたことを特徴とする印刷物の分類及び切断方法」（「特許請求の範囲」参照。）が記載されている。
【先行技術文献】
【特許文献】
【０００５】
【特許文献１】実開平０５−０５８３３７号公報
【特許文献２】特表２００１−５０６９４４号公報
【考案の概要】
【考案が解決しようとする課題】
【０００６】
特許文献１には、「本の１辺→小口部分に角度を付けた切り込みを入れ、次頁には逆向きの同仕様の切り込みを入れこれを交互に重ねて製本する。このことによって、頁と頁の間に空間ができるので、指などを引っ掛けて頁を捲ることが容易に出来る」（「発明の書詳細な説明」、図１〜図３参照。）と記載されており、書籍として外観の見栄えがよいとはいえない。
【０００７】
また、特許文献２には、「本発明の実施例によれば、各小グループの第１ページはシートの第２面に配置され、小グループの最終ページはシートの第１面に配置され、小グループの第１ページが印刷されたシートから始まって、小グループの最終ページを印刷したシートを除き、シートの各グループに対する特定な部分が切断されている。これにより、シートが共に保持されているところのシート端縁に対向している前端縁に沿う予定の位置で、第２面又は第１面と第２面が同じ１つの小グループに属している各シートの前端縁が他方のシートの前端縁に対して突出する。印刷物の３つの種類の小グループが特定の性質を有し、かつ繰り返しの順番で集められ、前端縁の大部分とシートの上端縁の小部分を切断することにより第１切断部が形成され、シートの上部と下部の角隅部を切断することにより第２切断部が形成され、前端縁の大部分とシートの下端縁の小部分とを切断することにより第３切断部が形成されている。１つのグループにおいて簡単な方法により即ち速続するその小グループに基いて及び小グループ内において、素早くページをめくることができる印刷物品が得られる。最初の前端縁の上部側でシートを握持することにより第１グループで素早くページをめくることができ、最初の前端縁の中央側でシートを握持することにより第２グループで素早くページをめくることができ、最初の前端縁の下部側でシートを握持することにより第３グループで素早くページをめくることができる」（明細書第(5)頁第５行乃至第２４行参照。）と記載されているので、上記の特許文献１と同様に、見栄えがよいとはいえない。
【０００８】
さらに、特許文献１に記載された発明の「書籍」及び特許文献２に記載された発明の「印刷物」は、形状の異なるページを作成する必要があるので、製造工程が複雑になってしまい、製造コストの低減が困難である。
【０００９】
そこで、本考案においては、ページグループ、つまり、グループ化された特定の複数ページ毎に捲りやすく、外観の見栄えがよく、簡単に製造することができる冊子を提供することを目的とする。
【課題を解決するための手段】
【００１０】
上記の目的を達成するため、請求項１の考案は、グループ化された複数枚のページが積層されて構成された冊子であって、前記グループ内の前記ページの各々は、お互いのページの紙の目が異なる方向に形成され、異なる反発力を有するように構成されていることを特徴とする。
【００１１】
また、請求項２の考案は、請求項１に記載の冊子であって、前記グループと同じ構成のグループを、複数備えたことを特徴とする。
【００１２】
また、請求項３の考案は、請求項１又は請求項２のいずれかに記載の冊子であって、前記グループ内に積層された複数のページのうち、特定の捲り方向に対して一番強い反発力を有するページが、該グループ内の最上層又は最下層のいずれかに設けられており、前記特定の捲り方向に応じて、前記反発力が異なる大きさに設定されていることを特徴とする。
【考案の効果】
【００１３】
本考案の冊子によれば、ページグループ（グループ化された特定の複数のページ）毎に簡単に捲ることができ、また、外観の見栄えがよく、さらに、簡単に製造することができるという顕著な効果を奏することができる。
【図面の簡単な説明】
【００１４】
【図１】本考案の一実施形態における冊子の紙の目の特性を説明する図である。
【図２】本考案の一実施形態における冊子の全体構成を説明する図である。
【図３】本考案の一実施形態における冊子を捲る様子を説明する図である。
【図４】本考案の一実施形態における冊子を捲る様子を説明する図である。
【００１５】
以下、好適な実施形態を用いて本考案をさらに具体的に説明する。但し、下記の実施形態は本考案を具現化した例に過ぎず、本考案はこれに限定されるものではない。
【００１６】
（実施形態）
本考案の一実施形態におけるに冊子について、図１〜図４を参照しながら説明する。図１は、冊子の紙の目の特性を説明する図であり、図２は、冊子の全体構成を説明する図であり、図３及び図４は、冊子を捲る様子を説明する図ある。
【００１７】
ここで、本願考案の理解を容易にするため、冊子を構成する「紙」の特性について説明する。紙は、パルプを抄紙機で一定の進行方向に流しながらシート状に製造されるが、この進行方向に沿って紙の繊維が揃いやすく、いわゆる「紙の目」（「紙の流れ目」ともいう。）が形成される。抄紙機で製造された紙は、製品としての最終形態である冊子の形状に合わせて、複数の紙に分割形成される。この分割形成された紙を便宜上「単位紙」という。ここで、冊子を構成する単位紙の形状が、長辺と短辺を有する長方形であるとすると、通常は、紙の目が長辺（つまり、前述の「進行方向」）に沿って形成するように単位紙を構成する場合と、紙の目が短辺（つまり、前述の「進行方向」に直角に交差する方向）に沿って形成するように単位紙を構成する場合がある。単位紙の長辺に沿った紙の目を縦目といい、単位紙の短辺に沿った紙の目を横目という。
【００１８】
紙の目は、視覚的には確認し難いが、以下に示すような物理的特性により、簡単に確認できる。
（１）紙を破るとき、紙の目に沿う方向は破けやすく、紙の目と交差する方向には破けにくい。
（２）紙を折り曲げるとき、紙の目と平行な方向には折目がつきやすき（つまり、折曲げ易く）、紙の目と交差する方向には折目がつきにくい（つまり、折曲げ難い）。
（３）紙を湾曲させたとき、元の状態に戻ろうとする復元力（以下、「反発力」という。）は、紙の目と交差するように湾曲させると反発力が強くなり、紙の目と平行に湾曲させると反発力が弱くなる。
（４）紙は、一定期間放置すると、表面と裏面の乾湿の差によって紙の繊維が収縮して湾曲するが、紙の目と交差する方向に湾曲する。
【００１９】
ここで、本願出願人は、特に上記（３）の特性に着目して、予め特定の方向に紙の目が付けられた単位紙を複数枚積層して構成された冊子を捲るときに、捲る方向の紙の目の方向に対する角度（以下、「捲り角度」という。）によって、単位紙の反発力が異なることを利用して、それぞれが異なる紙の目の方向を有する単位紙を複数枚積層して冊子を構成し、特定の方向から冊子を捲ると、反発力に応じて、特定の方向の紙の目を有する単位紙ごとに捲ることができることを考案したのである。
【００２０】
図１は、本考案の一実施形態における冊子の紙の目の特性を説明する図であり、本考案の原理を示す。図１の符号１は、説明の便宜上、円板形状をなす一枚の単位紙であり、単位紙１の中心部２は、ピン３で基台５に固定されている。図１（ａ）は平面図であり、図１（ｂ）は正面図（左右側面図、背面図も同様である。）である。単位紙１の紙の目４は、図１に点線で示すように左右方向に形成されており、横目である。図１（ａ）において、複数の矢印Ａ１〜Ａ８は、単位紙１を捲る方向を示し、矢印Ａ１〜Ａ８それぞれの方向と紙の目（横目）４とのなす角度を（捲り角度）という。図１（ａ）において、符号αは、矢印Ａ２の紙の目に対する捲り角度を示す。矢印Ａ１及び矢印Ａ３は、紙の目４と同一方向である。角度を絶対値で表示すれば、矢印Ａ１及び矢印Ａ５の捲り角度は０度、矢印Ａ２，Ａ４，Ａ６，Ａ８の捲り角度は４５度、矢印Ａ３及び矢印Ａ７の捲り角度は９０度である。
【００２１】
単位紙１はピン３によって基台５に中心部２が固定されているので、単位紙１を捲るときは、中心部２を支点として単位紙１の矢印先端側の円周側を持ち上げて、図１（ｂ）に示す矢印Ｂ１方向に捲ることになる。持ち上げられた単位紙１は湾曲し、矢印Ｂ２方向に反発力を有するので、基台５側に戻ろうとする。この反発力は、図１においては、捲り角度の一番大きい（９０度）矢印Ａ３及び矢印Ａ７方向に捲るときが一番小さくなる。また、捲り角度の一番小さい（０度）矢印Ａ１及び矢印Ａ５方向に捲るときが一番大きくなる。また、矢印Ａ２，Ａ４，Ａ６，Ａ８方向に捲るときの捲り角度は全て同じ（４５度）であるので、矢印Ａ２，Ａ４，Ａ６，Ａ８方向に捲ったときの反発力は全て略同等であり、矢印Ａ３及び矢印Ａ７方向に捲ったときの反発力よりも強く、矢印Ａ１及び矢印Ａ５方向に捲ったときの反発力よりも弱い。反発力の強さ自体は、裁断されて形成された単位紙１のサイズや、紙の質・厚さ、紙の目の出来具合等で異なるが、反発力の各捲り角度間の相対的な関係は、上述の関係が保持される。
【００２２】
以上、特定の方向を示す紙の目（図１では、横目）を有する単位紙ついて、捲り角度が異なると反発力が異なることを説明したが、以下では、特定の捲り方向に対して、紙の目の異なる複数の単位紙を交互に積層して冊子を構成した場合について説明する。
【００２３】
これまで説明したことから、本願出願人は、紙の目の方向の異なる複数枚の単位紙を交互に積層して、特定の方向から捲ると、反発力の一番大きい（捲り角度の一番小さい）単位紙間に積層された反発力の弱い単位紙は、反発力の一番大きな単位紙と一緒に捲ることができることを見出した。以下、具体的な例を示して説明する。まず、図２に示すように、紙の目の異なる複数枚の単位紙が交互に積層されて構成された冊子として、対向する一対の長辺（上辺ＵＬ，下辺ＢＬ）と、対向する一対の短辺（左辺ＬＳ，右辺ＲＳ）を備えた長方形状の冊子１０を想定する。ここで、冊子１０を構成する単位紙は、一般的には、「ページ」と称されるので、以下、冊子１０を構成する「単位紙」を、「ページ」といい、「ページ」の紙の目の方向に応じてページ１ａ，ページ１ｂで示す。本実施形態では、紙の目４ａがページの長辺（上辺ＵＬ及び下辺ＢＬ）方向に沿って形成されたものをページ１ａとし、紙の目４ｂがページの短辺（左辺ＬＳ，右辺ＲＳ）方向に沿って形成されたものをページ１ｂとする。
【００２４】
冊子１０において、ページ１ａ及びページ１ｂの左辺ＬＳは、全て糊付けして綴じられており、ページ１ａ及びページ１ｂの右辺ＲＳ、上辺ＵＬ、下辺ＢＬは、開放されている。つまり、冊子１０は、上辺ＵＬ、下辺ＢＬ、右辺ＲＳの３辺の方向から捲ることができる構成とされている。
【００２５】
冊子１０を構成するページは、第１グループから第ｎグループに分けられている。グループ分けの基準としては、例えば、国語辞典であれば、第１グループは「あ行」、第２グループは「か行」、第３グループは「さ行」、・・・、第１０グループは「わ行」、・・・・、巻末の「付録」は第ｎグループである。また、一般的な複写（要カーボン紙）式請求書であれば、原紙のページと控えのページが交互に積層されて構成されており、原紙ページと控えページを一つのグループとして捲りたいので、最初の原紙ページと控えページのセットを第１グループ、次の原紙ページと控えページのセットを第２グループ、・・・、最後の原紙ページと控えページのセットを第ｎグループとして構成する。本実施形態では、説明を容易にするため、便宜上、冊子１０は、前記の一般的な複写（要カーボン紙）式請求書と同様の構成で説明する
【００２６】
第１グループに割り当てられた複数のページ群（最初のページ１ａ及びページ１ｂ）を第１ページグループＰＧ１、第２グループに割り当てられた複数のページ群（次のページ１ａ及びページ１ｂ）を第２ページグループＰＧ２、・・・、第ｎグループに割り当てられた複数のページ群（ｎ番目のページ１ａ及びページ１ｂ）を第ｎページグループＰＧｎとする。ページ１ａの紙の目４ａを横目（つまり、長辺方向に紙の繊維が揃っている。）で形成し、ページ１ｂの紙の目４ｂを縦目（つまり、短辺方向に紙の繊維が揃っている。）で形成し、第１ページグループＰＧ１が最上層、第２ページグループＰＧ２は最上層から第２番目の層、第３ページグループＰＧ３は最上層から第３番目の層、・・・、第７ページグループＰＧ７は最上層から第７番目の層、第８ページグループＰＧ８は最上層から第８番目の層、・・・、第１２ページグループＰＧ１２は最下層として構成されている。各ページグループにおいて、横目の紙の目４ａを有するページ１ａが上層、縦目の紙の目４ｂを有するページ１ｂが下層になるように交互に積層されて構成されている。一般に、最下層、ここでは、第１２ページグループＰＧ１２の下には、裏表紙（不図示）が設けられ、最上層の第１ページグループＰＧ１上には、表紙（不図示）設けられるが、裏表紙の代わりに台紙（不図示）が設けられてもよい。
【００２７】
［ケースＣ１−１］
まず、冊子１０を右辺ＲＳ方向から連続して捲ることを想定して説明するが、この場合、各ページグループのページ１ａの上面（各ページグループのページ１ｂの裏面）が視認できるように捲る場合（以下「ケースＣ１−１」という。）と、各ページグループのページ１ａの裏面が視認できるように捲る場合（以下「ケースＣ１−２」という。）がある。まず、ケースＣ１−１について、図３（ａ）を参照しながら説明する。ケースＣ１−１では、矢印Ｃ１で示すように最下層から最上層まで連続的に冊子１０の右辺ＲＳ側を捲る（なお、最下層から最上層までの一部分を連続的に捲る場合も、作用は同じである。）。各ページグループのページ１ａの紙の目４ａは横目であり、ページ１ｂの紙の目４ｂは縦目であるから、右辺ＲＳ側を捲るときには、ページ１ａを、ページ１ａ紙の目（横目）４ａに交差する方向に湾曲させることになり、ページ１ｂを、ページ１ｂの紙の目（縦目）４ｂに平行な方向に湾曲させることになるので、ページ１ａの捲り角度（０度）が、ページ１ｂの捲り角度（９０度）よりも小さくなり、したがって、ページ１ａの反発力が、ページ１ｂの反発力よりも大きくなる。なお、捲り角度は、前述したように、捲る方向の紙の目に対する角度である。ページ１ａ及びページ１ｂは、下側（裏表紙側）に凸部を有するように湾曲しているので、反発力は矢印Ｃ２に示すように下側に向けて作用する。そうすると、冊子１０を連続的に捲っていくと、反発力のより強いページ１ａがページ１ｂの上側に重なって捲れていく（表現を変えれば、上側のページ１ａが、下側のページ１ｂを押し下げて捲れていく）ので、各ページグループのページ１ａの上面が常に視認できるように、捲れることになる。図３（ａ）では、第９ページグループＰＧ９のページ１ａの上面が視認できる。なお、ページ１ａ及びページ１ｂを連続的に捲ることを想定して説明したが、例えば、冊子１０の右辺ＲＳの所定の一か所を捲った場合でも、捲った位置によらずページ１ａの上面が常に視認できるように、捲れることになる。
【００２８】
図３（ａ）では、本願考案を理解しやすいように、第７ページグループＰＧ７のページ１ａとページ１ｂが離隔しているように、また、第８ページグループＰＧ８のページ１ａとページ１ｂが離隔しているように図示したが、実施には、図３（ｂ）に示すように、第７ページグループＰＧ７のページ１ａとページ１ｂとが離隔することなく一緒（同時）に捲れ、また、第８ページグループＰＧ８のページ１ａとページ１ｂとが離隔することなく一緒（同時）に捲れる。その他のページグループについても同様である。
【００２９】
［ケースＣ１−２］
次に、図４（ａ）を参照しながら、ケースＣ１−２について説明する。ケースＣ１−２では、矢印Ｄ１で示すように最上層から最下層まで連続的に冊子１０の右辺ＲＳ側を捲る（なお、最上層から最下層までの一部分を連続的に捲る場合も、作用は同じである。）。ケースＣ１−１と同様に、各ページグループのページ１ａの紙の目４ａは横目であり、ページ１ｂの紙の目４ｂは縦目であるから、右辺ＲＳ側を捲るときには、ページ１ａを、ページ１ａ紙の目（横目）４ａに交差する方向に湾曲させることになり、ページ１ｂを、ページ１ｂの紙の目（縦目）４ｂに平行な方向に湾曲させることになるので、ページ１ａの捲り角度（０度）が、ページ１ｂの捲り角度（９０度）よりも小さくなり、したがって、ページ１ａの反発力が、ページ１ｂの反発力よりも大きくなる。なお、ページ、ページグループの構成については、ケースＣ１−１の説明から容易に理解できるので、省略する。ページ１ａ及びページ１ｂは、上側（表紙側）に凸部を有するように湾曲しているので、反発力は矢印Ｄ２に示すように上側に向けて作用する。そうすると、冊子１０を連続的に捲っていくと、反発力のより強いページ１ａがページ１ｂの下側に重なって捲れていく（表現を変えれば、下側のページ１ａが、上側のページ１ｂを押し上げて捲れていく）ので、各ページグループのページ１ｂの上面が常に視認できるように、捲れることになる。図４（ａ）では、第５ページグループＰＧ５のページ１ｂの上面、第６ページグループＰＧ６のページ１ｂの上面、第７ページグループＰＧ７のページ１ｂの上面が視認できる。なお、ページ１ａ及びページ１ｂを連続的に捲ることを想定して説明したが、例えば、冊子１０の右辺ＲＳの所定の一か所を捲った場合でも、捲った位置によらずページ１ｂの上面が常に視認できるように、捲れることになる。
【００３０】
図４（ａ）では、本願考案を理解しやすいように、第３ページグループＰＧ３のページ１ａとページ１ｂが離隔しているように、また、第４ページグループＰＧ４のページ１ａとページ１ｂが離隔しているように図示したが、実施には、図４（ｂ）に示すように、第３ページグループＰＧ３のページ１ａとページ１ｂとが離隔することなく一緒（同時）に捲れ、また、第４ページグループＰＧ４のページ１ａとページ１ｂとが離隔することなく一緒（同時）に捲れる。その他のページグループについても同様である。
【００３１】
［ケースＣ２−１］
次に、冊子１０を上辺ＵＬ方向から連続して捲る場合について説明する。構成については、図示しないが、これまでの説明から容易に理解できる。この場合、各ページグループのページ１ａ上面が視認できるように捲る場合（以下「ケースＣ２−１」という。）と、各ページグループのページ１ｂの上面が視認できるように捲る場合（以下「ケースＣ２−２」という。）がある。このケースＣ２−１及びＣ２−２も、上述したケースＣ１−１及びケースＣ１−２と同様の作用によって捲ることができる。まず、ケースＣ２−１について説明する（不図示）。ケースＣ２−１では、最下層から最上層まで連続的に冊子１０の上辺ＵＬ側を捲る（なお、最下層から最上層までの一部分を連続的に捲る場合も、作用は同じである。）。各ページグループのページ１ａの紙の目４ａは横目であり、ページ１ｂの紙の目４ｂは縦目であるから、上辺ＵＬ側を捲るときには、ページ１ａを、ページ１ａの紙の目（横目）に平行な方向に湾曲させることになり、ページ１ｂを、ページ１ｂの紙の目（縦目）に交差する方向に湾曲させることになるので、ページ１ｂの捲り角度（０度）が、ページ１ａの捲り角度（９０度）よりも小さくなり、したがって、ページ１ｂの反発力が、ページ１ａの反発力よりも大きくなる。ページ１ａ及びページ１ｂは、下側（裏表紙側）に凸部を有するように湾曲しているので、反発力はケースＣ１−１と同様に下側に向けて作用する。そうすると、冊子１０を連続的に捲っていくと、反発力のより強いページ１ｂがページ１ａの上側に重なって捲れていく（表現を変えれば、上側のページ１ｂが、下側のページ１ａを押し下げて捲れていく）ので、各ページグループのページ１ｂの上面が常に視認できるように、捲れることになる。なお、ページ１ａ及びページ１ｂを連続的に捲ることを想定して説明したが、例えば、冊子１０の上辺ＵＬの所定の一か所を捲った場合でも、捲った位置によらずページ１ｂの上面が常に視認できるように、捲れることになる。
［ケースＣ２−２］
【００３２】
ケースＣ２−２について説明する。構成については、図示しないが、これまでの説明から容易に理解できる。ケースＣ２−２では、最上層から最下層まで連続的に冊子１０の上辺ＵＬ側を捲る（なお、最上層から最下層までの一部分を連続的に捲る場合も、作用は同じである。）。各ページグループのページ１ａの紙の目４ａは横目であり、ページ１ｂの紙の目４ｂは縦目であるから、上辺ＵＬ側を捲るときには、ページ１ａを、ページ１ａの紙の目（横目）に平行な方向に湾曲させることになり、ページ１ｂを、ページ１ｂの紙の目（縦目）に交差する方向に湾曲させることになるので、ページ１ｂの捲り角度（０度）が、ページ１ａの捲り角度（９０度）よりも小さくなり、したがって、ページ１ｂの反発力が、ページ１ａの反発力よりも大きくなる。ページ１ａ及びページ１ｂは、上側（表紙側）に凸部を有するように湾曲しているので、反発力はケースＣ１−２と同様に上側に向けて作用する。そうすると、冊子１０を連続的に捲っていくと、反発力のより強いページ１ｂがページ１ａの下側に重なって捲れていく（表現を変えれば、下側のページ１ｂが、上側のページ１ａを押し下げて捲れていく）ので、各ページグループのページ１ａの上面が常に視認できるように、捲れることになる。なお、ページ１ａ及びページ１ｂを連続的に捲ることを想定して説明したが、例えば、冊子１０の上辺ＵＬの所定の一か所を捲った場合でも、捲った位置によらずページ１ｂの上面が常に視認できるように、捲れることになる。
【００３３】
［ケースＣ３−１、ケースＣ３−２］
ケースＣ３−１について説明する。構成については、図示しないが、これまでの説明から容易に理解できる。ケースＣ３−１では、最下層から最上層まで連続的に冊子１０の下辺ＢＬ側を捲る（なお、最下層から最上層までの一部分を連続的に捲る場合も、作用は同じである。）。このケースＣ３−１は、捲る側が下辺ＢＬ側に変わるだけで、前述したケースＣ２−１と同様の作用を奏するので、説明は省略する。また、ケースＣ３−２は、最上層から最下層まで連続的に冊子１０の下辺ＢＬ側を捲る場合であるが、捲る側が下辺ＢＬ側に変わるだけで、前述したケースＣ２−２と同様の作用を奏するので、説明を省略する。
【００３４】
以上、紙の目が横目と縦目、捲る方向が３方向、捲り角度が０度と９０度の場合について説明したが、さらに、紙の目の方向、捲る方向、捲り角度を適宜組み合わせて、多種多様な捲り方を実現することができる。例えば、上記の例では、ページ１ａとページ１ｂとにページ１ｃを追加して、ページ１ａ、ページ１ｂ、ページ１ｃの捲り角度の差分が略均等になるように紙の目を形成して各ページグループを構成すれば、下辺ＢＬ側を捲るときにページ１ｃが常に視認できるように捲ることができる。
【００３５】
このように、本考案によれば、ページグループ（グループ化された特定の複数のページ）毎に簡単に捲ることができ、また、冊子を構成する各ページを同一の形状に形成することができるので、外観の見栄えがよく、単に紙の目の方向を変えて形成するだけであるので簡単に製造することができるという顕著な効果を奏することができる。従来の冊子は、全てのページの紙の目の方向を揃えるように構成されているが、本考案は、ページの紙の目の方向を変えるという、従来技術にない、かつ、従来技術や公知の技術からは容易に想到することができない技術思想に基づくものである。
【符号の説明】
【００３６】
１      単位紙
１ａ，１ｂ    ページ
２      中心部
３      ピン
４，４ａ，４ｂ      紙の目
５      基台
１０    冊子
ＢＬ    下辺
ＬＳ    左辺
ＲＳ    右辺
ＵＬ    上辺
ＰＧ１  第１のページグループ
ＰＧ２  第２のページグループ
ＰＧ３  第３のページグループ
ＰＧ４  第４のページグループ
ＰＧ５  第５のページグループ
ＰＧ６  第６のページグループ
ＰＧ７  第７のページグループ
ＰＧ８  第８のページグループ
ＰＧ９  第９のページグループ
ＰＧ１０  第１０のページグループ
ＰＧ１１  第１１のページグループ
ＰＧ１２  第１２のページグループ
ＰＧ１３  第１３のページグループ
【図１】
0003218916.tif 000003
【図２】
0003218916.tif 000004
【図３】
0003218916.tif 000005
【図４】
0003218916.tif 000006